(57)【要約】【課題】延長コードを巻き取り長さを調節することで、接続された延伸式給電ユニットを本体に接触させる、もしくは本体から分離させることができ、電子製品に対して充電する際に別途充電コネクタとそのケーブルを使用しなければならない不便さを軽減することができる。【解決手段】延伸式給電ユニットを備えた電源タップは、本体と、電源の供給に用いる延伸式給電ユニットと、延伸式給電ユニットと本体との間に接続される延長コードを含む。本発明の延伸式給電ユニットを備えた電源タップはさらに延長コードを巻き取るためのコードリールを含む。【選択図】図１Ａ
2011187429.tif 000002
【特許請求の範囲】
【請求項１】
電源コンセントに接続する電源プラグと、入力電源を供給する少なくとも１つの差込口ユニットを含む本体と、
少なくとも１つの延伸式給電ユニットと、
前記延伸式給電ユニットと前記本体との間に接続された少なくとも１つの延長コードと、
を含む延伸式給電ユニットを備えた電源タップにおいて、
前記本体が前記延長コードを介して電源を前記延伸式給電ユニットに供給し、且つ前記延伸式給電ユニットが前記延長コードを介して前記本体から分離される、もしくは前記本体に収容されることを特徴とする、延伸式給電ユニットを備えた電源タップ。
【請求項２】
前記本体が、第１ケース、第２ケース、コードリール、収容部を含み、
前記第２ケースは前記第１ケースと連結されて前記本体を形成し、前記第１ケースまたは前記第２ケース上にコード通過孔が設けられ、
前記コードリールは前記延伸式給電ユニットと前記本体との間に設けられ、前記延伸式給電ユニットを前記本体から分離したときの距離を制御するように前記延長コードを巻き取るために用いられ、
前記収容部は前記延伸式給電ユニットを収容するために用いられることを特徴とする、請求項１に記載の延伸式給電ユニットを備えた電源タップ。
【請求項３】
さらに、前記本体内に収容され、前記延伸式給電ユニットを前記本体から分離したときの距離を制御するように前記延長コードの巻き取りに用いられるコードリールを含むことを特徴とする、請求項１に記載の延伸式給電ユニットを備えた電源タップ。
【請求項４】
前記本体が、電源スイッチ、指示ランプを含み、前記電源スイッチは前記電源コンセントの前記本体への入力の制御に用いられ、前記指示ランプは前記電源コンセントの給電または給電停止を表示するために用いられ、
前記指示ランプは前記電源コンセントの給電または給電停止を表示するために用いられ、
前記延長コードは電源ユニットに接続され、前記電源ユニットは整流処理を行い、電源を前記延伸式給電ユニットに供給することを特徴とする、請求項１に記載の延伸式給電ユニットを備えた電源タップ。
【請求項５】
さらに、結合部を備えた充電座体を含み、前記結合部が前記延伸式給電ユニットと接続され、前記充電座体がプラスチックシートまたは厚紙を折り曲げて形成されたことを特徴とする、請求項１に記載の延伸式給電ユニットを備えた電源タップ。
【発明の詳細な説明】
【技術分野】
【０００１】
本発明は充電装置に関し、特に延伸式給電ユニットを備えた電源タップに関する。
【背景技術】
【０００２】
従来の電源供給装置は、時代の変化と携帯型電子製品におけるユニバーサル・シリアル・バス(ＵＳＢ)の幅広い応用に対応して、一般的な２孔または３孔のコンセント設計のほか、ＵＳＢ差込口等のインターフェースを追加設置したものがある。携帯型電子製品の電源取得方法は、コネクタを利用して電源供給装置上の対応する差込口に挿入し、電力を受けることができる。
【０００３】
しかしながら、一般に上述の携帯型電子製品はコネクタ及びそのケーブルを電源供給装置上に接続して電力を受ける必要があるため、使用者はこの携帯型電子製品及び付属の対応するコネクタとそのケーブルを携帯し、場合によっては腰を曲げて床面の電源供給装置に接続して充電を行う必要がある。また、充電完了後においても、使用者は再度腰を曲げて床面の電源供給装置から携帯型電子製品及びその付属の対応するコネクタとケーブルをまとめて収納し、携帯する必要がある。このように、携帯型電子製品の充電は接続において煩わしい動作が多く、使用者の使用上不便となっている。
【発明の概要】
【発明が解決しようとする課題】
【０００４】
本発明は、上記の事情に鑑みてなされたものであり、簡単な構造で長さ調節の可能な延長コード及び分離可能なＵＳＢ差込口等のインターフェースを組み合わせ、携帯型電子製品の充電時に別途充電プラグとそのケーブルを使用する必要があるという不便さを軽減することができる、延伸式給電ユニットを備えた電源タップを提供することを目的とする。
【課題を解決するための手段】
【０００５】
本発明にかかる延伸式給電ユニットを備えた電源タップは、電源に接続する電源プラグを備えた本体と、コネクタを接続して導通し、電源を供給するために用いられる延伸式給電ユニットと、前記延伸式給電ユニットと前記本体とにそれぞれ接続された延長コードを含む。本発明にかかる電源タップは、延長コードを巻き取るために用いられる少なくとも１つのコードリールを含む。延長コードを巻取り長さを調節することで、接続された延伸式給電ユニットを本体に収容させたり、本体から分離させたりすることができる。使用者は本発明にかかる延伸式給電ユニットを備えた電源タップを使用するとき、別途コネクタ及びそのケーブルを携帯する必要がなく、また煩わしい動作も必要としないため、電子製品の充電時の不便さを軽減することができる。
【発明の効果】
【０００６】
本発明の延伸式給電ユニットを備えた電源タップは、延長コードにより、延伸式給電ユニットを使用しないときは延長コードを巻取り本体の収容部内に収容することができる。また、延伸式給電ユニットを使用するときは、延伸式給電ユニットを収容部から離脱させ、必要な長さ分の延長コードを引き出すことができる。よって、延伸式給電ユニットを使用した充電の利便性を向上させることができる。
【０００７】
以下、本発明を添付図面及び実施形態に基づき更に具体的に説明する。なお、この形態は、発明の趣旨をより良く理解するために具体的に説明するものであり、本発明を限定するものではない。
【図面の簡単な説明】
【０００８】
【図１Ａ】本発明の実施形態１の延伸式給電ユニットを備えた電源タップの分離時の斜視図である。
【図１Ｂ】本発明の実施形態１の延伸式給電ユニットを備えた電源タップの収容時の斜視図である。
【図２】本発明の実施形態２の延伸式給電ユニットを備えた電源タップの斜視図である。
【図３】本発明の実施形態３の延伸式給電ユニットを備えた電源タップの斜視図である。
【図４】本発明の実施形態４の延伸式給電ユニットを備えた電源タップの斜視図である。
【図５】本発明の延伸式給電ユニットを備えた電源タップの使用状態を示す斜視図である。
【図６】本発明の延伸式給電ユニットを備えた電源タップの別の使用状態を示す斜視図である。
【発明を実施するための形態】
【０００９】
［実施形態１］
図１Ａは、本発明の実施形態１の延伸式給電ユニットを備えた電源タップの斜視図である。この延伸式給電ユニットを備えた電源タップ１は、本体１０、少なくとも１つの延伸式給電ユニット１６、少なくとも１つの延長コード１４１、コードリール１４、電源ユニット２４、電源プラグ２６を含む。本体１０はさらに、第１ケース１０１、第２ケース１０３、少なくとも１つのコード通過孔１０５、収容部１０７を含む。延伸式給電ユニット１６は、第３ケース１６１と第４ケース１６３を含む。
【００１０】
本体１０は、第１ケース１０１と第２ケース１０３を連結して形成され、電源コンセントに接続する電源プラグ２６と、少なくとも１つのコード通過孔１０５を備えている。コード通過孔１０５は、本体１０内に設けられたコードリール１４の延長コード１４１を通過させるためのものである。これにより、延長コード１４１は一端が本体１０に接続され、他端が延伸式給電ユニット１６に接続される。延伸式給電ユニット１６は第３ケース１６１と第４ケース１６３を連結して形成される。コード通過孔１０５は、延伸式給電ユニット１６を収容部１０７に収容することができればよく、その位置は限定されない。本実施形態におけるコード通過孔１０５は、第１ケース１０１上の収容部１０７を形成する面上に設けている。また、収容部１０７の設置位置は一例にすぎず、この様態に限定されない。延伸式給電ユニット１６は、延長コード１４により、本体１０から一定距離(即ち延長コード１４の長さ分)分離させたり、本体１０の収容部１０７に収容させることができる。
【００１１】
コードリール１４は電源ユニット２４に電気的に接続される。電源ユニット２４は電源プラグ２６を介して入力された電源(例えば壁のコンセントの商用電源など)に対して整流処理を行い、整流後の出力電源を延伸式給電ユニット１６に供給することができる。また、電源ユニット２４は延長コード１４１と直接電気接続してもよい。
【００１２】
本発明の実施形態における延伸式給電ユニットを備えた電源タップ１中のコードリール１４は、延長コード１４１を巻き取るために用いられる。延長コード１４１はコードリール１４の巻き取りによりその長さが変化し、延長コード１４１に接続された延伸式給電ユニット１６をこの延伸式給電ユニットを備えた電源タップ１に収容させる、もしくはこの延伸式給電ユニットを備えた電源タップ１から離脱させることができ、それにより延伸式給電ユニット１６の設置範囲を調節することができる。延長コード１４１の巻き取り及び巻き出し方式は自動巻取り式または手動巻取り式の設計とすることができる。本実施形態は自動巻取り式の設計を例として説明する。また、本実施形態の延伸式給電ユニット１６は、ＵＳＢ差込口やＲＪ４５等、当業者が容易に想到できる任意の充電コネクタとすることができる。
【００１３】
例えば、延伸式給電ユニット１６に電子装置を接続して充電する際に、接続距離が比較的長い場合は、図１Ａに示すように、延長コード１４１を伸長させて延伸式給電ユニット１６を収容部１０７から離脱させることにより、延伸式給電ユニット１６の使用範囲が拡大する。一方、延伸式給電ユニット１６を使用する必要がない、または充電に必要な接続距離が比較的短くてよい場合は、図１Ｂに示すように、延長コード１４１を短縮させて延伸式給電ユニット１６を本体１０の収容部１０７内に収容することができる（図１Ａも併せて参照する）。本実施形態の構造設計に基づき、使用者は異なる使用状況に応じて延長コード１４１の長さを調節することで、延伸式給電ユニット１６の接続距離を広げることができ、使用者が煩わしい動作（腰を曲げて接続したり、移動したり等の動作）を行うことを回避して、使用上の利便性を高めることができる。同時に、別途充電コネクタとそのケーブルを随時携帯しなければならないという不便さを回避することができる。
【００１４】
［実施形態２］
図２は、本発明の実施形態２の延伸式給電ユニットを備えた電源タップの斜視図である。本実施形態の延伸式給電ユニットを備えた電源タップ１ａは、収容部１０７ａの位置が実施形態１と異なる。図２に示すように、収容部１０７ａは第１収容空間１０７０及び第２収容空間１０７２を備えている。第１収容空間１０７０が本体１０ａの長手方向の端部に、第２収容空間１０７２が本体１０ａの中間部分に設けられる。且つ、第１収容空間１０７０近くのコード通過孔１０５を通過する延長コード１４１に第１ＵＳＢ差込口１６５が接続され、第２収容空間１０７２近くのコード通過孔１０５’を通過する延長コード１４１’に第２ＵＳＢ差込口１６７が接続される。本実施形態における収容部１０７ａの設置位置及び接続されるＵＳＢ差込口１６５、１６７の数量は一例にすぎず、これに限定されない。
【００１５】
また、延伸式給電ユニットを備えた電源タップ１ａは電源スイッチ１８、指示ランプ２０及び少なくとも１つの差込口ユニット１２を含む。電源スイッチ１８は本体１０ａ上に設けられ、電源供給の入力を制御する。指示ランプ２０は発光ダイオードの指示ランプとすることができ、本体１０ａ上に設けられ、指示ランプ２０の点灯または消灯状態により入力電源の供給または停止を表示する。少なくとも１つの差込口ユニット１２は本体１０ａ上に設けられ、これら複数の差込口ユニット１２は３孔コンセントまたは２孔コンセント、及びその組み合わせとしてもよい。
【００１６】
［実施形態３］
図３は、本発明の実施形態３の延伸式給電ユニットを備えた電源タップの斜視図である。本実施形態の延伸式給電ユニットを備えた電源タップ１ｂは、コードリール１４ｂの位置が実施形態１と異なっている。コードリール１４ｂは延伸式給電ユニット１６ｂと本体１０との間に設けられる。
【００１７】
［実施形態４］
図４は、本発明の実施形態４の延伸式給電ユニットを備えた電源タップの斜視図である。本実施形態の延伸式給電ユニットを備えた電源タップ１ｃは、コードリールが設置されていない点で上記実施形態１と異なっている。これにより、延長コード１４１ｃが本体１０ｃ及び延伸式給電ユニット１６ｃに接続され、本体１０ｃ及び延伸式給電ユニット１６ｂの外部に設けられる。延長コード１４１ｃは外部の任意の空間に巻き取って収容してもよく、巻き取らずに外部に露出させてもよい。
【００１８】
図５は、本発明の延伸式給電ユニットを備えた電源タップの使用状態の斜視図である。延伸式給電ユニットを備えた電源タップ１中の延伸式給電ユニット１６は延長コード１４１の延伸により床面から机の上に引き出して使用者が電子装置３（携帯電話やデジタルカメラなど）に簡単に接続し、電源を受けることができる。且つ、別途充電コネクタを使用して電子装置３に充電する必要がなく、使用上の利便性を向上させることができる。本実施形態の分離及び長さ調節の可能な、延伸式給電ユニットを備えた電源タップ１により、延伸式給電ユニット１６を使用して充電する際の利便性及び接続範囲を拡大することもできる。
【００１９】
また、図６は本発明の延伸式給電ユニットを備えた電源タップの別の使用状態を示す斜視図である。本実施形態は、本発明の分離式の延伸式給電ユニット１６に応じて特別に設計した結合部２２１を用意する。結合部２２１は、例えば充電座体２２上に配置される。つまり、分離された延伸式給電ユニット１６は任意の位置(例えば図３に示す机の上など)に配置してもよく、この特別に設計した結合部２２１に配置してもよい。延伸式給電ユニット１６を本体１０から分離した後、充電座体２２上に形成された延伸式給電ユニット１６と結合可能な空間である結合部２２１に配置して接続することで、充電座体２２上の電子装置３に延伸式給電ユニット１６を接続し、充電することができる。充電座体２２はプラスチックシートまたは厚紙を折り曲げて形成することができるが、これに限定されない。なお、結合部２２１と延伸式給電ユニット１６を接続する接続手段は、掛止、貼付及び嵌置等とすることができる。本実施形態において挙げた接続方式は例を挙げて説明したのみであり、これに限定されない。
【００２０】
以上、本発明の幾つかの好ましい実施形態について説明したが、本発明はそれらの実施形態に限定されることなく、本発明の範囲内で様々の実施例が可能である。
【産業上の利用可能性】
【００２１】
以上説明したように、本発明による延伸式給電ユニットを備えた電源タップは、低コストで構造設計が簡単であり、延長コードにより、携帯型電子製品に対して充電するときに別途充電コネクタ及びケーブルを使用する必要がある不便さを軽減することができる。また、延長コードの長さ調節という特徴により、接続される延伸式給電ユニットの接続距離が長い場合にも、電源タップ本体の収容部から分離し延長コードの伸長の長さを調節することで、延伸式給電ユニットによる充電の利便性を向上させることができる。また、延伸式給電ユニットを利用する必要がない場合は、延長コードを巻き取ってその長さを短縮し、延伸式給電ユニットを電源タップ本体の収容部内に完全に収容することができ(収容部がない場合では、ＵＳＢ差込口等のインターフェースを本体と接触するまで巻き取った状態としてもよい)、充電できる接続距離(延長コードの距離)の長さを調節することができるため、充電する際の不便さが軽減される。
【符号の説明】
【００２２】
１、１ａ、１ｂ、１ｃ  延伸式給電ユニットを備えた電源タップ
１０、１０ａ、１０ｃ  本体
１０１  第１ケース
１０３  第２ケース
１０５、１０５’  コード通過孔
１０７、１０７ａ  収容部
１０７０  第１収容空間
１０７２  第２収容空間
１２  差込口ユニット
１４、１４ｂ  コードリール
１４１、１４１’、１４１ｃ  延長コード
１６、１６ｂ、１６ｃ  延伸式給電ユニット
１６１  第３ケース
１６３  第４ケース
１６５  第１ＵＳＢ差込口
１６７  第２ＵＳＢ差込口
１８  電源スイッチ
２０  指示ランプ
２２  充電座
２２１  結合部
２４  電源ユニット
２６  電源プラグ
３  電子装置
【図１Ａ】
2011187429.tif 000003
【図１Ｂ】
2011187429.tif 000004
【図２】
2011187429.tif 000005
【図３】
2011187429.tif 000006
【図４】
2011187429.tif 000007
【図５】
2011187429.tif 000008
【図６】
2011187429.tif 000009